(57)【特許請求の範囲】
【請求項１】
筐体と、
前記筐体を載置面に載置して使用する第１の使用状態、または、前記筐体を手で把持して使用する第２の使用状態のいずれの使用状態であるかを検出するための使用状態検出手段と、
前記使用状態検出手段の検出結果に基づいて、使用状態を判別して特定するとともに、特定された前記使用状態に対応するアプリケーションプログラムを起動する制御部とを備える、携帯情報表示端末。
【請求項２】
情報を表示する表示部をさらに備え、
前記筐体を手で把持して使用する第２の使用状態は、横向きでの使用状態と縦向きでの使用状態とを含み、
前記使用状態検出手段は、前記使用状態に加えて、横向きおよび縦向きも検出可能に構成されており、
前記制御部は、前記第２の使用状態であると特定した場合には、前記第２の使用状態に対応するアプリケーションプログラムを起動するとともに、横向きまたは縦向きに応じて前記表示部に表示させる表示の向きを変更するように構成されている、請求項１に記載の携帯情報表示端末。
【請求項３】
前記使用状態に応じて起動するアプリケーションプログラムをユーザが設定可能に構成されており、
前記制御部は、前記使用状態に応じてユーザにより設定された前記アプリケーションプログラムを起動するように構成されている、請求項１または２に記載の携帯情報表示端末。
【請求項４】
前記筐体を載置面に載置して使用する前記第１の使用状態は、前記筐体を載置面に立てて使用する立て置き使用状態と、前記筐体を載置面に寝かせて使用する寝かせ使用状態とを含み、
前記制御部は、前記立て置き使用状態の場合には、ユーザが操作することを前提としないアプリケーションプログラムを起動するとともに、前記寝かせ使用状態の場合には、ユーザが操作することを前提とするアプリケーションプログラムを起動するように構成されている、請求項１〜３のいずれか１項に記載の携帯情報表示端末。
【請求項５】
リモコンモードの際に使用する通信部をさらに備え、
前記制御部は、前記使用状態検出手段による検出結果に基づいて前記寝かせ使用状態であると特定した場合に、前記通信部からリモコン信号を送信可能な前記リモコンモードに対応するアプリケーションプログラムを起動するように構成されている、請求項４に記載の携帯情報表示端末。
【請求項６】
前記使用状態検出手段は、前記立て置き使用状態と前記寝かせ使用状態との前記筺体の傾きを取得するように構成されており、
前記制御部は、前記使用状態検出手段により取得される前記立て置き使用状態と前記寝かせ使用状態との前記筺体の傾きに基づいて、前記立て置き使用状態と前記寝かせ使用状態とを判別して特定可能に構成されている、請求項４または５に記載の携帯情報表示端末。
【請求項７】
前記筺体は、前記立て置き使用状態と、前記寝かせ使用状態とで、異なる傾きで前記筺体を載置可能な外形形状を有し、
前記制御部は、前記使用状態検出手段により取得される前記筐体の外形形状に基づく前記立て置き使用状態および前記寝かせ使用状態の前記筺体の異なる傾きに基づいて、前記立て置き使用状態と前記寝かせ使用状態とを判別して特定可能に構成されている、請求項６に記載の携帯情報表示端末。
【請求項８】
前記使用状態検出手段は、傾きセンサを含み、
前記制御部は、前記傾きセンサにより検出された傾き角度に基づいて、前記立て置き使用状態および前記寝かせ使用状態を判別して特定するとともに、前記傾きセンサにより検出された傾き値の変化状態に基づいて前記筐体を手で把持して使用する前記第２の使用状態を判別して特定するように構成されている、請求項４〜７のいずれか1項に記載の携帯情報表示端末。
【請求項９】
検出された前記使用状態に対応するアプリケーションプログラムを起動する機能を有効または無効にすることをユーザが設定することが可能なように構成されており、
前記制御部は、前記使用状態に対応するアプリケーションプログラムを起動する機能が有効である場合に、検出された前記使用状態に対応するアプリケーションプログラムを起動するように構成されている、請求項１〜８のいずれか1項に記載の携帯情報表示端末。
【請求項１０】
前記第１の使用状態および前記第２の使用状態のうち少なくとも１つの使用状態において使用されたアプリケーションプログラムの使用履歴を記憶する記憶部をさらに備え、
前記制御部は、前記記憶部に記憶された前記使用履歴に基づいて、検出された使用状態に対応するアプリケーションプログラムを決定して起動させるように構成されている、請求項１〜９のいずれか１項に記載の携帯情報表示端末。
【請求項１１】
前記制御部は、前記使用状態検出手段による検出結果に基づいて特定された使用状態に対応し、かつ、前記特定された使用状態の前の使用状態から前記特定された使用状態に遷移する際の遷移態様にも対応したアプリケーションプログラムを起動するように構成されている、請求項１〜１０のいずれか１項に記載の携帯情報表示端末。
【発明の詳細な説明】
【技術分野】
【０００１】
この発明は、携帯情報表示端末に関し、特に、筐体を備える携帯情報表示端末に関する。
【背景技術】
【０００２】
従来、筐体を備える携帯情報表示端末が知られている（たとえば、特許文献１参照）。
【０００３】
上記特許文献１には、筐体と、筐体の表面に設けられた静電容量式のセンサからなるタッチセンサとを備える携帯電話機（携帯情報表示端末）が開示されている。この特許文献１による携帯電話機は、ユーザが筐体を把持した際の筐体の持ち方をタッチセンサにより検出するとともに、タッチセンサにより検出されたユーザの筐体の持ち方に基づいて、ユーザの筐体の持ち方（使用状態）に対応するアプリケーションプログラムを自動的に起動するように構成されている。これにより、ユーザの使用状態に対応したアプリケーションプログラムを自動的に起動することが可能である。
【先行技術文献】
【特許文献】
【０００４】
【特許文献１】特開２００４−３０２７３４号公報
【発明の概要】
【発明が解決しようとする課題】
【０００５】
しかしながら、上記特許文献１による携帯電話機（携帯情報表示端末）では、タッチセンサを用いることによりユーザが筐体を把持しているときの使用状態を検出することが可能である一方で、ユーザにより筐体が把持されていない場合（筐体が載置されている場合など）には、携帯情報表示端末の使用状態を検出することができないと考えられる。したがって、上記特許文献１の構成を、載置された状態で使用されることが想定された携帯情報表示端末に適用した場合に、携帯情報表示端末の使用状態を検出することができないので、使用状態に対応してアプリケーションプログラムを起動させることができないという問題点がある。
【０００６】
この発明は、上記のような課題を解決するためになされたものであり、この発明の１つの目的は、載置された状態で使用されていることが想定される場合にも、使用状態に対応してアプリケーションプログラムを起動することが可能な携帯情報表示端末を提供することである。
【課題を解決するための手段および発明の効果】
【０００７】
この発明の一の局面による携帯情報表示端末は、筐体と、筐体を載置面に載置して使用する第１の使用状態、または、筐体を手で把持して使用する第２の使用状態のいずれの使用状態であるかを検出するための使用状態検出手段と、使用状態検出手段の検出結果に基づいて、使用状態を判別して特定するとともに、特定された使用状態に対応するアプリケーションプログラムを起動する制御部とを備えている。
【０００８】
この一の局面による携帯情報表示端末では、上記のように、筐体を載置面に載置して使用する第１の使用状態、または、筐体を手で把持して使用する第２の使用状態のいずれの使用状態であるかを検出するための使用状態検出手段を設けることによって、ユーザによる筐体の持ち方を検出するタッチセンサとは異なり、筐体を手で把持して使用する第２の使用状態のみならず、筐体を載置面に載置して使用する第１の使用状態を検出することができる。これにより、載置された状態で使用されることが想定される携帯情報表示端末の場合にも、携帯情報表示端末の使用状態を検出することができる。また、使用状態検出手段の検出結果に基づいて、使用状態を判別して特定するとともに、特定された使用状態に対応するアプリケーションプログラムを起動することによって、ユーザにより筐体が把持されている場合（第２の使用状態）のみならず、携帯情報表示端末が載置されている場合（第１の使用状態）にも、携帯情報表示端末の各使用状態に対応したアプリケーションプログラムを起動することができる。これにより、携帯情報表示端末が載置された状態で使用されていることが想定される場合にも、使用状態に対応してアプリケーションプログラムを起動させることができる。
【０００９】
上記一の局面による携帯情報表示端末において、好ましくは、情報を表示する表示部をさらに備え、筐体を手で把持して使用する第２の使用状態は、横向きでの使用状態と縦向きでの使用状態とを含み、使用状態検出手段は、使用状態に加えて、横向きおよび縦向きも検出可能に構成されており、制御部は、第２の使用状態であると特定した場合には、第２の使用状態に対応するアプリケーションプログラムを起動するとともに、横向きまたは縦向きに応じて表示部に表示させる表示の向きを変更するように構成されている。このように構成すれば、縦向きの使用状態で筐体を把持した場合および横向きの使用状態で筐体を把持した場合に、それぞれに合った表示の向きにより情報を表示部に表示することができる。
【００１０】
上記一の局面による携帯情報表示端末において、好ましくは、使用状態に応じて起動するアプリケーションプログラムをユーザが設定可能に構成されており、制御部は、使用状態に応じてユーザにより設定されたアプリケーションプログラムを起動するように構成されている。このように構成すれば、ユーザが各使用状態に応じて起動するアプリケーションプログラムを予め設定することにより、ユーザが使用状態を変更した場合に、ユーザが設定したアプリケーションプログラムを自動的に起動させることができるので、各々の使用状態におけるユーザの使用態様に合致したアプリケーションプログラムを起動させることができる。
【００１１】
上記一の局面による携帯情報表示端末において、好ましくは、筐体を載置面に載置して使用する第１の使用状態は、筐体を載置面に立てて使用する立て置き使用状態と、筐体を載置面に寝かせて使用する寝かせ使用状態とを含み、制御部は、立て置き使用状態の場合には、ユーザが操作することを前提としないアプリケーションプログラムを起動するとともに、寝かせ使用状態の場合には、ユーザが操作することを前提とするアプリケーションプログラムを起動するように構成されている。このように筐体を載置面に立てて使用する立て置き使用状態の場合に、ユーザが操作することを前提としないアプリケーションプログラムを起動することによって、ユーザが操作するのに適さない使用状態である筐体が載置面に対して立っている立て置き使用状態に対応したアプリケーションプログラムを起動することができる。また、筐体を載置面に寝かせて使用する寝かせ使用状態の場合に、ユーザが操作することを前提とするアプリケーションプログラムを起動することによって、ユーザが容易に操作することが可能な使用状態である筐体が載置面に寝ている寝かせ使用状態に対応したアプリケーションプログラムを起動することができる。これらの結果、同じ載置状態の中でも、操作する前提の有無に応じて、各々の使用状態に適したアプリケーションプログラムを起動させることができる。
【００１２】
上記第１の使用状態が立て置き使用状態および寝かせ使用状態を含む携帯情報表示端末において、好ましくは、リモコンモードの際に使用する通信部をさらに備え、制御部は、使用状態検出手段による検出結果に基づいて寝かせ使用状態であると特定した場合に、通信部からリモコン信号を送信可能なリモコンモードに対応するアプリケーションプログラムを起動するように構成されている。このように構成すれば、筐体を載置面に寝かせた寝かせ使用状態になるように配置するだけで、自動的にリモコンモードに切り替わるので、ユーザはリモコンモードに切り替える操作を行うことなく、容易に、寝かせ使用状態で携帯情報表示端末をリモコンとして使用することができる。
【００１３】
上記第１の使用状態が立て置き使用状態および寝かせ使用状態を含む携帯情報表示端末において、好ましくは、使用状態検出手段は、立て置き使用状態と寝かせ使用状態との筺体の傾きを取得するように構成されており、制御部は、使用状態検出手段により取得される立て置き使用状態と寝かせ使用状態との筺体の傾きに基づいて、立て置き使用状態と寝かせ使用状態とを判別して特定可能に構成されている。このように構成すれば、筺体の傾きに基づいて、容易に、立て置き使用状態と寝かせ使用状態とを検出することができる。
【００１４】
この場合において、好ましくは、筺体は、立て置き使用状態と、寝かせ使用状態とで、異なる傾きで筺体を載置可能な外形形状を有し、制御部は、使用状態検出手段により取得される筐体の外形形状に基づく立て置き使用状態および寝かせ使用状態の筺体の異なる傾きに基づいて、立て置き使用状態と寝かせ使用状態とを判別して特定可能に構成されている。このように構成すれば、スタンドなどの補助具なしで筐体の外形形状により筐体を立てた立て置き使用状態および寝かせた寝かせ使用状態にすることができ、かつ、容易に、外形形状に基づく傾きの違いにより立て置き使用状態と寝かせ使用状態とを判別して検出することができる。
【００１５】
上記第１の使用状態が立て置き使用状態および寝かせ使用状態を含む携帯情報表示端末において、好ましくは、使用状態検出手段は、傾きセンサを含み、制御部は、傾きセンサにより検出された傾き角度に基づいて、立て置き使用状態および寝かせ使用状態を判別して特定するとともに、傾きセンサにより検出された傾き値の変化状態に基づいて筐体を手で把持して使用する第２の使用状態を判別して特定するように構成されている。このように構成すれば、傾きセンサにより、容易に、絶対的な傾き角度に基づいて立て置き使用状態および寝かせ使用状態を判別して特定することができるとともに、傾き値の変化状態に基づいて筐体を手で把持して使用する第２の使用状態を判別して特定することができるので、容易に、立て置き使用状態、寝かせ使用状態および第２の使用状態の３つの状態を判別して特定することができる。
【００１６】
上記一の局面による携帯情報表示端末において、好ましくは、検出された使用状態に対応するアプリケーションプログラムを起動する機能を有効または無効にすることをユーザが設定することが可能なように構成されており、制御部は、使用状態に対応するアプリケーションプログラムを起動する機能が有効である場合に、検出された使用状態に対応するアプリケーションプログラムを起動するように構成されている。このように構成すれば、アプリケーションプログラムを起動する機能を有効に設定されている場合のみ、使用状態に対応してアプリケーションプログラムを起動させることができるとともに、アプリケーションプログラムを起動する機能を無効に設定されている場合には、アプリケーションプログラムは自動的には起動せずにユーザがその時の状況に応じて手動で任意のアプリケーションプログラムを選択して起動させることができる。
【００１７】
上記一の局面による携帯情報表示端末において、好ましくは、第１の使用状態および第２の使用状態のうち少なくとも１つの使用状態において使用されたアプリケーションプログラムの使用履歴を記憶する記憶部をさらに備え、制御部は、記憶部に記憶された使用履歴に基づいて、検出された使用状態に対応するアプリケーションプログラムを決定して起動させるように構成されている。このように構成すれば、過去にユーザが使用したアプリケーションプログラムの使用履歴に基づいて、たとえば、ユーザの使用頻度が高いアプリケーションプログラムを学習させて起動することができるので、ユーザの利便性を向上させることができる。
【００１８】
上記一の局面による携帯情報表示端末において、好ましくは、制御部は、使用状態検出手段による検出結果に基づいて特定された使用状態に対応し、かつ、特定された使用状態の前の使用状態から特定された使用状態に遷移する際の遷移態様にも対応したアプリケーションプログラムを起動するように構成されている。このように構成すれば、現在の使用状態のみならず１つ前の使用状態から現在の使用状態への遷移態様も考慮してアプリケーションプログラムを起動させることができるので、遷移態様の違いに起因するユーザの使用状況の違いも考慮して、より使用状況に適したアプリケーションプログラムを起動させることができる。
【図面の簡単な説明】
【００１９】
【図１】本発明の第１実施形態による携帯情報表示端末の液晶表示部側の構成を説明するための全体斜視図である。
【図２】図１に示した携帯情報表示端末のフレームの液晶表示部が設けられている表面とは反対側の表面側の構成を説明するための全体斜視図である。
【図３】図１に示した携帯情報表示端末の長手方向を横向きにして携帯情報表示端末が把持された状態を示した斜視図である。
【図４】図１に示した携帯情報表示端末の長手方向を縦向きにして携帯情報表示端末が把持された状態を示した斜視図である。
【図５】図１に示した携帯情報表示端末のフレームおよび液晶表示部を載置面に立てた状態を示した斜視図である。
【図６】図１に示した携帯情報表示端末のフレームおよび液晶表示部を載置面に寝かせた状態を示した斜視図である。
【図７】図１に示した携帯情報表示端末の内部構成を説明するためのブロック図である。
【図８】図１に示した携帯情報表示端末の液晶表示部に表示される小規模のアプリケーションソフト（ガジェット）の表示画面を示した図である。
【図９】図１に示した携帯情報表示端末のリモコンモード時に液晶表示部に表示される表示画面を示した図である。
【図１０】図１に示した携帯情報表示端末のリモコンモード時にテレビジョン装置に赤外線を送信する状態を示した斜視図である。
【図１１】図１に示した携帯情報表示端末の液晶表示部に表示されるストリーミング動画を再生するアプリケーションの表示画面を示した図である。
【図１２】図１に示した携帯情報表示端末の使用状態に対応するアプリケーションプログラムの起動および維持フローを説明するためのフローチャートである。
【図１３】図１に示した携帯情報表示端末の使用状態に対応して起動されるアプリケーションプログラムが設定される際の設定フローを説明するためのフローチャートである。
【図１４】本発明の第２実施形態による携帯情報表示端末の使用状態に対応するアプリケーションプログラムの起動および維持フローを説明するためのフローチャートである。
【図１５】本発明の第２実施形態による携帯情報表示端末の各使用状態（立てた状態、寝かせた状態および手持ち状態）で最初に一定時間以上使用されたアプリケーションプログラムを記憶部に記憶させる学習フローを説明するためのフローチャートである。
【図１６】本発明の第３実施形態による携帯情報表示端末の使用状態に対応するアプリケーションプログラムの起動および維持フローを説明するためのフローチャートである。
【発明を実施するための形態】
【００２０】
以下、本発明を具体化した実施形態を図面に基づいて説明する。
【００２１】
（第１実施形態）
まず、図１〜図１１を参照して、本発明の第１実施形態による携帯情報表示端末１の構成について説明する。
【００２２】
図１および図２に示すように、本発明の第１実施形態による携帯情報表示端末１は、情報を表示する液晶表示部１０（図１参照）と、液晶表示部１０が表面に設けられるフレーム２０とにより主に構成されている。なお、液晶表示部１０は、本発明の「表示部」の一例であり、フレーム２０は、本発明の「筐体」の一例である。この携帯情報表示端末１は、ユーザにより把持された状態（図３および図４参照）で使用可能に構成されているとともに、フレーム２０および液晶表示部１０を載置面１００に立てた状態（図５参照）、および、フレーム２０および液晶表示部１０を載置面１００に寝かせた状態（図６参照）でも使用可能に構成されている。なお、ユーザにより把持された状態は、本発明の「第２の使用状態」の一例であり、フレーム２０および液晶表示部１０を載置面１００に立てた状態は、本発明の「第１の使用状態」および「立て置き使用状態」の一例である。また、フレーム２０および液晶表示部１０を載置面１００に寝かせた状態は、本発明の「第１の使用状態」および「寝かせ使用状態」の一例である。
【００２３】
この携帯情報表示端末１は、インターネット接続可能に構成されており、インターネット接続をすることによりストリーミング配信の受信および再生出力機能、メール機能、ビデオチャット機能およびボイスチャット機能を使用可能に構成されている。また、携帯情報表示端末１は、インターネット接続をしていない場合にも、リモコンモードに移行することにより、メディアプレーヤーおよびテレビジョン装置９０（図１０参照）などのリモコンとして使用可能に構成されている。また、携帯情報表示端末１は、フレーム２０および液晶表示部１０を立てた状態（図５参照）では、小規模のアプリケーションソフト（ガジェット）により、カレンダーや時計などを表示することが可能である。
【００２４】
次に、携帯情報表示端末１の液晶表示部１０およびフレーム２０の構成について詳細に説明する。液晶表示部１０は、図１に示すように、タッチパネル機能を有しており、ユーザが液晶表示部１０に表示された操作ボタン１０ａを押下することにより、アプリケーションプログラムに従った操作が可能なように構成されている。また、液晶表示部１０の矢印Ｘ１方向側には、カメラユニット１１が設置されている。このカメラユニット１１は、たとえば、ユーザにより把持された状態で携帯情報表示端末１を使用する場合などに、ビデオチャット時の画像を入力する機能を有する。
【００２５】
また、カメラユニット１１の近傍には、マイクユニット１２が設置されている。このマイクユニット１２は、たとえば、ボイスチャットおよびビデオチャット時などの音声を入力する機能を有する。
【００２６】
また、フレーム２０は、樹脂により形成されている。図１および図２に示すように、フレーム２０の液晶表示部１０が設けられている表面とは反対側の表面には、複数の突起部２１、２２および２３が一体的に設けられている。突起部２１および２２は、フレーム２０の長手方向（Ｘ方向）の両方の端部近傍にフレーム２０の短手方向（Ｙ方向）に延びるように設けられている。また、図６に示すように、突起部２１（図２参照）および２２は、それぞれ、フレーム２０の短手方向（Ｙ方向）の一方端側（矢印Ｙ１方向側）から他方端側（矢印Ｙ２方向側）に向かって徐々に厚みが増加するように構成されている。つまり、突起部２１および２２は、それぞれ、フレーム２０の長手方向（矢印Ｘ１方向および矢印Ｘ２方向）から見て、フレーム２０の短手方向の他方側（矢印Ｙ２方向側）から一方側（矢印Ｙ１方向側）に向かってテーパ状に先細る楔形形状を有するように構成されている。
【００２７】
上記のように突起部２１および２２を構成することによって、図５に示すように、突起部２１および突起部２２の矢印Ｙ２方向側の面を下にして携帯情報表示端末１を載置面１００に載置することにより、突起部２１および２２は、フレーム２０および液晶表示部１０を立てた状態でフレーム２０を支持可能である。また、図６に示すように、突起部２１（図２参照）および２２は、フレーム２０および液晶表示部１０を載置面１００に対して所定の角度θ傾斜させて寝かせた状態で、フレーム２０を支持可能である。
【００２８】
また、上記のように突起部２１および２２を構成することによって、図３に示すように、突起部２１および２２は、フレーム２０および液晶表示部１０の長手方向（Ｘ方向）をユーザから見て横向きにしてユーザが両手で把持することが可能である。また、図４に示すように、突起部２２は、フレーム２０および液晶表示部１０の長手方向（Ｘ方向）を縦向きにして片手（左手）で把持可能である。
【００２９】
また、突起部２３は、図２に示すように、フレーム２０の短手方向（Ｙ方向）の他方端部（矢印Ｙ２方向端部）近傍で、かつ、突起部２１および２２の間に設けられている。この突起部２３の内部には、携帯情報表示端末１の電源を供給するための二次電池（リチウムイオン電池）が内蔵（収納）されている。
【００３０】
また、突起部２１および２２の他方端部側（矢印Ｙ２方向側）の端面には、それぞれ、赤外線通信部３１および３２が内蔵されている。なお、赤外線通信部３１および３２は、本発明の「通信部」の一例である。これら赤外線通信部３１および３２は、後述するリモコンモードの際に、メディアプレーヤーおよびテレビジョン装置９０（図１０参照）などを操作可能な所定の信号（リモコン信号）を含む赤外線を発光するように構成されている。
【００３１】
また、液晶表示部１０の長手方向（Ｘ方向）の矢印Ｘ２方向側の部分には、図１に示すように、情報処理装置モード用各種スイッチ３３が設けられている。情報処理装置モード用各種スイッチ３３は、それぞれ、メール、ビデオおよびボイスチャットなどを処理する情報処理装置モードで使用されるスイッチである。また、情報処理装置モード用各種スイッチ３３の矢印Ｘ２方向側の近傍には、４方向移動スイッチ３４（選択スイッチ）が設けられている。また、４方向移動スイッチ３４の中心部分には、決定スイッチ３５が設けられている。これら４方向移動スイッチ３４および決定スイッチ３５は、それぞれ、リモコンモードおよび情報処理装置モードの両方で使用可能に構成されている。
【００３２】
また、４方向移動スイッチ３４の矢印Ｙ２方向側には、リモコンモードと情報処理装置モードとを切替可能なリモコンモード遷移スイッチ３６が設けられている。また、４方向移動スイッチ３４の矢印Ｙ１方向側には、リモコンモードにおけるリモコン操作対象機器（テレビなど）の表示部にＯＳＤ表示された操作画面を現在の状態から１つ前の状態に戻すための戻る機能スイッチ３７が設けられている。
【００３３】
また、図５に示すように、フレーム２０の矢印Ｘ１方向側の側面部２４には、複数の接続部４０が設けられている。この接続部４０は、２つのＵＳＢ接続部４１および４２と、ＨＤＭＩ接続部４３と、音声ケーブル接続部４４と、電源コネクタ４５とを含んでいる。
【００３４】
次に、携帯情報表示端末１の内部構成について説明する。携帯情報表示端末１のフレーム２０には、図７に示すように、携帯情報表示端末１の制御を司る制御部（ＣＰＵ）５１と、記憶部（メモリ）５２と、傾きセンサ５３とが設けられている。なお、傾きセンサ５３は、本発明の「使用状態検出手段」の一例である。
【００３５】
記憶部５２は、制御部５１により実行されるアプリケーションプログラムを記憶している。また、記憶部５２は、ユーザの手で把持して使用する状態（以下、手持ち状態（図３および図４参照）と呼ぶ）、フレーム２０および液晶表示部１０を載置面１００に立てて使用する状態（以下、立てた状態（図５参照）と呼ぶ）、および、フレーム２０および液晶表示部１０を載置面１００に寝かせて使用する状態（以下、寝かせた状態（図６参照）と呼ぶ）において使用されたアプリケーションプログラムの使用履歴を記憶している。
【００３６】
ここで、第１実施形態では、傾きセンサ５３は、フレーム２０（図１参照）の傾きを取得する機能を有する。傾きセンサ５３は、立てた状態（図５参照）、寝かせた状態（図６参照）および手持ち状態（図３および図４参照）のいずれの使用状態であるかを検出するために設けられている。
【００３７】
また、上述したフレーム２０の外形形状により、立てた状態（図５参照）での傾きと、寝かせた状態（図６参照）での傾きとは、フレーム２０の載置面１００に対する角度が９０度以上異なるため、制御部５１は、フレーム２０の載置面１００に対する異なる傾きで載置される各状態を容易に判別して特定することが可能である。また、手持ち状態（図３および図４参照）では、ユーザが微妙に動くことに起因して傾きセンサ５３により検出される検出値が検出時間毎に変化するため、制御部５１は、立てた状態および寝かせた状態を区別することが可能となる。
【００３８】
また、傾きセンサ５３は、手持ち状態（図３および図４参照）である場合にも、フレーム２０の長手方向を縦にして使用する縦向きでの使用状態（以下、縦持ち状態（図４参照）と呼ぶ）とフレーム２０の長手方向を横にして使用する横向きでの使用状態（以下、横持ち状態（図３参照）と呼ぶ）とを検出可能に構成されている。また、縦持ち状態と横持ち状態とでは、図３および図４に示すように、液晶表示部１０が約９０度回転されるため、制御部５１は、縦持ち状態と横持ち状態との異なる傾きで把持される各状態を容易に判別して特定することが可能である。
【００３９】
ここで、第１実施形態では、制御部５１は、傾きセンサ５３により取得された傾きに基づいてフレーム２０および液晶表示部１０の使用状態を判別して特定するように構成されている。そして、制御部５１は、特定した使用状態に対応するアプリケーションプログラムを自動的に起動するように構成されている。具体的には、制御部５１は、立てた状態（図５参照）であると特定した場合には、ユーザが操作することを前提としないアプリケーションプログラムを起動するように構成されている。ここで、ユーザが操作することを前提としないアプリケーションプログラムとは、たとえば、図８に示す時計１０ｂ、カレンダー１０ｃおよびニュース１０ｄのトピックスなどを液晶表示部１０上に表示するガジェットを含むユーザにとって受動的なアプリケーションである。また、このガジェットは、液晶表示部１０のアイコン１０ｅおよび１０ｆなどが操作されることにより、それぞれ、スケジューラーおよび天気予報などを液晶表示部１０に表示可能に構成されている。
【００４０】
また、制御部５１は、寝かせた状態（図６参照）であると特定した場合には、ユーザが操作することを前提とするアプリケーションプログラムを起動するように構成されている。ここで、ユーザが操作することを前提とするアプリケーションプログラムとは、たとえば、図９に示すように、メディアプレーヤーおよびテレビジョン装置９０（図１０参照）などのリモコンとして使用可能なユーザにとって能動的なアプリケーションである。このリモコンアプリケーションプログラムは、リモコンモードに移行された際に使用されるプログラムである。たとえば、リモコンアプリケーションプログラムでは、制御部５１は、テレビジョン装置９０の電源をオンまたはオフに切り替えるための電源ボタン１０ｇ、テレビジョン装置９０が受信する放送のチャンネルを切り替えるためのチャンネルボタン群１０ｈおよびチャンネル送りボタン１０ｉ、テレビジョン装置９０から出力される音声の音量を調整する音量調整ボタン１０ｊ、および、テレビジョン装置９０（図１０参照）以外のテレビジョン装置（図示せず）およびメディアプレーヤー（図示せず）などのリモコンの操作対象を変更する対象切替ボタン群１０ｋなどをタッチパネル機能を有する液晶表示部１０に表示するように構成されている。
【００４１】
また、制御部５１は、手持ち状態（図３および図４参照）であると認識した場合にも、ユーザが操作することを前提とするアプリケーションプログラムを起動するように構成されている。ここで、ユーザが操作することを前提とするアプリケーションプログラムとは、たとえば、図１１に示すように、ストリーミング動画を再生可能なユーザにとって能動的なアプリケーションプログラムである。この動画再生アプリケーションプログラムは、情報処理装置モード時に使用されるプログラムである。たとえば、この動画再生アプリケーションプログラムでは、制御部５１は、インターネット回線を介して表示される複数の動画コンテンツ１０ｌ、１０ｍおよび１０ｎなどからいずれか１つの動画コンテンツをタッチパネル上で選択可能に構成されている。また、動画再生アプリケーションプログラムでは、制御部５１は、動画コンテンツ１０ｌ、１０ｍおよび１０ｎなどのうちいずれかの動画コンテンツがユーザにより選択された際には、選択された動画コンテンツの再生をすることが可能なように構成されている。
【００４２】
また、制御部５１は、傾きセンサ５３により検出される傾き値が常時小刻みに変化しているか否かを判断することにより、携帯情報表示端末１が載置面１００に載置されている状態（図５および図６の状態）、または、ユーザにより把持されている状態（図３および図４の状態）のいずれかを判断するように構成されている。傾きセンサ５３により検出される傾き値が常時小刻みに変化している場合には、制御部５１は、携帯情報表示端末１がユーザにより把持されている状態であると判断するように構成されている。また、傾きセンサ５３により検出される傾き値が安定している場合には、制御部５１は、携帯情報表示端末１が載置面１００に載置されている状態であると判断するように構成されている。
【００４３】
また、第１実施形態では、携帯情報表示端末１は、使用状態（立てた状態、寝かせた使用する状態および手持ち状態）に応じて起動するアプリケーションプログラムをユーザが設定することが可能なように構成されている。また、携帯情報表示端末１は、使用状態に対応するアプリケーションプログラムを自動的に起動する機能（自動起動モード）を無効にすることが可能なように構成されている。つまり、携帯情報表示端末１は、自動起動モードを有効または無効のいずれかに切替可能なように構成されている。また、携帯情報表示端末１は、傾きに基づいて判定された使用状態（立てた状態、寝かせた使用する状態および手持ち状態）に対応するアプリケーションプログラムを起動する機能を有効または無効にすることをユーザが設定することが可能なように構成されている。
【００４４】
次に、図３〜図７および図１２を参照して、第１実施形態による携帯情報表示端末１の使用状態に対応するアプリケーションプログラムの起動および維持フローについて説明する。
【００４５】
図１２に示すように、制御部５１が傾きセンサ５３により取得された傾き値が変化したこと（イベント発生）を認識することにより、携帯情報表示端末１の使用状態に対応するアプリケーションプログラムの起動フローがスタートされる。まず、ステップＳ１において、制御部５１（図７参照）により、傾きセンサ５３から取得した傾き値が認識（評価）され、傾き値が記憶部５２に記憶される。そして、ステップＳ２において、今回記憶された傾き値と、記憶された過去の傾き値と今回記憶された傾き値との変化の状態とに基づいて、携帯情報表示端末１が立てた状態（図５参照）、寝かせた状態（図６参照）、および、手持ち状態（図３および図４参照）いずれの状態であるかが決定される。すなわち、記憶された過去の傾き値および今回記憶された傾き値が小刻みに変化している場合には、手持ち状態と決定される。また、記憶された過去の傾き値および今回記憶された傾き値が小刻みに変化しておらずに、今回記憶された傾き値が立てた状態の傾き値の範囲内である場合には、立てた状態と決定され、今回記憶された傾き値が寝かせた状態の傾き値の範囲内である場合には、寝かせた状態と決定される。
【００４６】
その後、ステップＳ３において、制御部５１により、決定された状態が傾きセンサ５３により取得された傾き値が変化する前（イベント発生前）の状態から変更されたか否かが判断される。そして、ステップＳ３において、決定された状態が傾きセンサ５３により取得された傾き値が変化する前（イベント発生前）の状態から変更されていないと判断された場合には、ステップＳ４に進む。そして、ステップＳ４において、状態の変更がされていないので、アプリケーションプログラムが変更されることなく、アプリケーションプログラムはそのまま維持され、ステップＳ５に進む。そして、ステップＳ５において、液晶表示部１０に表示されている表示向きも変更されることなく、そのまま維持され、アプリケーションプログラムの起動および維持フローが終了する。
【００４７】
また、ステップＳ３において、決定された状態が傾きセンサ５３により取得された傾き値が変化する前（イベント発生前）の状態から変更されたと判断された場合には、ステップＳ６に進む。そして、ステップＳ６において、制御部５１により、変更された状態に対応するアプリケーションプログラムが設定されているか否かが判断される。つまり、ステップＳ６において、後述するアプリケーションプログラムの設定フローにおいて、立てた状態、寝かせた状態および手持ち状態のそれぞれについて自動的に起動させるアプリケーションプログラムがユーザにより設定されているか否かが判断される。そして、ステップＳ６において、変更された状態に対応するアプリケーションプログラムが設定されていないと判断された場合には、上述したステップＳ４およびステップＳ５に進み、アプリケーションプログラムの起動および維持フローが終了する。また、ステップＳ６において、変更された状態に対応するアプリケーションプログラムが設定されていると判断された場合には、ステップＳ７に進む。
【００４８】
そして、ステップＳ７において、制御部５１により、設定されていたアプリケーションプログラムが現在使用中のアプリケーションプログラムと同じアプリケーションプログラムであるか否かが判断される。そして、ステップＳ７において、設定されていたアプリケーションプログラムが現在使用中のアプリケーションプログラムと同じアプリケーションプログラムであると判断された場合には、アプリケーションプログラムを変更する必要がないので、上述したステップＳ４およびステップＳ５に進み、アプリケーションプログラムの起動および維持フローが終了する。また、ステップＳ７において、設定されていたアプリケーションプログラムが現在使用中のアプリケーションプログラムと同じアプリケーションプログラムではないと判断された場合には、ステップＳ８に進む。
【００４９】
その後、ステップＳ８において、変更された状態に対応するユーザにより設定されたアプリケーションプログラムが起動される。すなわち、立てた状態（図５参照）に変更された場合には、ユーザが操作することを前提としないガジェット（時計、カレンダーおよびニュースなどを表示するアプリケーション）などのアプリケーションプログラムが起動され、寝かせた状態（図６参照）に変更された場合には、ユーザが操作することを前提とするメディアプレーヤーアプリケーションまたはリモコンアプリケーションなどのアプリケーションプログラムが起動される。また、手持ち状態（図３および図４参照）に変更された場合には、ストリーミング動画を再生可能なアプリケーションなどのアプリケーションプログラムが起動される。
【００５０】
そして、ステップＳ９において、状態に対応する表示向きに表示方向が変更または表示向きが維持され、アプリケーションプログラムの起動および維持フローが終了する。具体的には、たとえば、立てた状態と、寝かせた状態または手持ち状態の横持ち状態との間で状態が変更された場合には、液晶表示部１０に表示される表示の向きは１８０度回転される。また、手持ち状態のうちの縦持ち状態と、立てた状態、寝かせた状態または手持ち状態の横持ち状態との間で状態が変更された場合には、液晶表示部１０に表示される表示の向きは９０度または２７０度回転される。また、手持ち状態のうちの横持ち状態と寝かせた状態との間で状態が変更された場合には、液晶表示部１０に表示される表示の向きは変更されずにそのまま維持される。
【００５１】
次に、図３〜図７および図１３を参照して、第１実施形態による携帯情報表示端末１の使用状態が変更された際に、変更された使用状態に対応して自動的に起動させるアプリケーションプログラムがユーザにより設定される際の設定フローについて説明する。
【００５２】
まず、図１３に示すように、ステップＳ２１において、制御部５１（図７参照）により、使用状態が変更された際に変更された使用状態に対応するアプリケーションプログラムを自動的に起動する自動起動モードがユーザにより選択されたか否かが判断される。すなわち、自動起動モードが有効または無効のいずれになったのかが判断される。そして、ステップＳ２１において、使用状態に対応するアプリケーションプログラムを起動する自動起動モードがオフ（無効）にされたと判断された場合には、アプリケーションプログラムの設定が行われずにアプリケーションプログラムの設定フローが終了する。また、ステップＳ２１において、使用状態に対応するアプリケーションプログラムを起動する自動起動モードがオン（無効）にされたと判断された場合には、ステップＳ２２に進む。
【００５３】
ステップＳ２２においては、制御部５１により、フレーム２０および液晶表示部１０を載置面１００に立てて使用する状態（立てた状態（図５参照））時に自動的に起動するアプリケーションプログラムがユーザにより入力されたか否かが判断される。そして、ステップＳ２２において、立てた状態（図５参照）時に自動的に起動するアプリケーションプログラムがユーザにより入力されたと判断された場合には、ステップＳ２３に進む。そして、ステップＳ２３において、ユーザにより入力されたアプリケーションプログラムが記憶部（メモリ）５２に書き込まれることにより設定され、ステップＳ２４に進む。また、ステップＳ２２において、立てた状態（図５参照）時に自動的に起動するアプリケーションプログラムがユーザにより入力されていないと判断された場合には、ステップＳ２４に進む。
【００５４】
その後、ステップＳ２４において、制御部５１により、フレーム２０および液晶表示部１０を載置面１００に寝かせて使用する状態（寝かせた状態（図６参照））時に自動的に起動するアプリケーションプログラムがユーザにより入力されたか否かが判断される。そして、ステップＳ２４において、寝かせた状態（図６参照）時に自動的に起動するアプリケーションプログラムがユーザにより入力されたと判断された場合には、ステップＳ２５に進む。そして、ステップＳ２５において、ユーザにより入力されたアプリケーションプログラムが記憶部（メモリ）５２に書き込まれることにより設定され、ステップＳ２６に進む。また、ステップＳ２４において、寝かせた状態（図６参照）時に自動的に起動するアプリケーションプログラムがユーザにより入力されていないと判断された場合には、ステップＳ２６に進む。
【００５５】
ステップＳ２６においては、制御部５１により、フレーム２０がユーザにより把持された状態（手持ち状態（図３および図４参照））時に自動的に起動するアプリケーションプログラムがユーザにより入力されたか否かが判断される。そして、ステップＳ２６において、手持ち状態（図３および図４参照）時に自動的に起動するアプリケーションプログラムがユーザにより入力されたと判断された場合には、ステップＳ２７に進む。そして、ステップＳ２７において、ユーザにより入力されたアプリケーションプログラムが記憶部（メモリ）５２に書き込まれることにより設定され、アプリケーションプログラムの設定フローが終了する。また、ステップＳ２６において、手持ち状態（図３および図４参照）時に自動的に起動するアプリケーションプログラムがユーザにより入力されていないと判断された場合には、アプリケーションプログラムの設定が行われずにアプリケーションプログラムの設定フローが終了する。
【００５６】
第１実施形態では、上記のように、フレーム２０および液晶表示部１０を載置面１００に立てて使用する使用状態、フレーム２０および液晶表示部１０を載置面１００に寝かせて使用する使用状態、フレーム２０を手で把持して使用する使用状態のいずれの使用状態であるかを検出する傾きセンサ５３を設けることによって、ユーザによるフレームの持ち方を検出するタッチセンサとは異なり、フレーム２０を手で把持して使用する使用状態のみならず、フレーム２０および液晶表示部１０を載置面１００に立てて使用する使用状態およびフレーム２０および液晶表示部１０を載置面１００に寝かせて使用する使用状態を検出することができる。これにより、載置された状態で使用されることが想定される携帯情報表示端末１の場合にも、携帯情報表示端末１の使用状態を検出することができる。また、傾きセンサ５３の検出結果に基づいて、使用状態を判別して特定するとともに、特定された使用状態に対応するアプリケーションプログラムを起動することによって、ユーザによりフレーム２０が把持されている場合（手持ち状態）のみならず、携帯情報表示端末１が載置されている場合（寝かせた状態および立てた状態）にも、携帯情報表示端末１の各使用状態に対応したアプリケーションプログラムを起動することができる。これにより、携帯情報表示端末１が載置された状態で使用されていることが想定される場合にも、使用状態に対応してアプリケーションプログラムを起動させることができる。
【００５７】
また、第１実施形態では、上記のように、ユーザの手で把持して使用する状態（手持ち状態）であると特定した場合には、手持ち状態に対応するアプリケーションプログラムを起動するとともに、横向きまたは縦向きに応じて液晶表示部１０に表示させる表示の向きを変更することによって、縦向きの使用状態（縦持ち状態）でフレーム２０を把持した場合および横向きの使用状態（横持ち状態）でフレーム２０を把持した場合に、それぞれに合った表示の向きで情報を液晶表示部１０に表示することができる。
【００５８】
また、第１実施形態では、上記のように、使用状態に応じてユーザにより設定されたアプリケーションプログラムを起動することによって、ユーザが各使用状態に応じて起動するアプリケーションプログラムを予め設定することにより、ユーザが使用状態を変更した場合に、ユーザが設定したアプリケーションプログラムを自動的に起動させることができるので、各々の使用状態におけるユーザの使用態様に合致したアプリケーションプログラムを起動させることができる。
【００５９】
また、第１実施形態では、上記のように、フレーム２０および液晶表示部１０を載置面１００に立てて使用する使用状態の場合に、ユーザが操作することを前提としないアプリケーションプログラムを起動することによって、ユーザが操作するのに適さないフレーム２０および液晶表示部１０が載置面１００に対して立っている使用状態に対応したアプリケーションプログラムを起動することができる。また、フレーム２０および液晶表示部１０を載置面１００に寝かせて使用する使用状態の場合に、ユーザが操作することを前提とするアプリケーションプログラムを起動することによって、ユーザが容易に操作することが可能なフレーム２０および液晶表示部１０が載置面１００に寝ている使用状態に対応したアプリケーションプログラムを起動することができる。これらの結果、同じ載置状態の中でも、操作する前提の有無に応じて、各々の使用状態に適したアプリケーションプログラムを起動させることができる。
【００６０】
また、第１実施形態では、上記のように、傾きセンサ５３による検出結果に基づいてフレーム２０および液晶表示部１０を載置面１００に寝かせて使用する使用状態であると特定した場合に、赤外線通信部３１および３２からリモコン信号を送信可能なリモコンモードに対応するアプリケーションプログラムを起動することによって、フレーム２０および液晶表示部１０を載置面１００に寝かせた状態になるように配置するだけで、自動的にリモコンモードに切り替わるので、ユーザはリモコンモードに切り替える操作を行うことなく、容易に、寝かせた状態で携帯情報表示端末１をリモコンとして使用することができる。
【００６１】
また、第１実施形態では、上記のように、傾きセンサ５３により検出された傾き角度に基づいて、立てた状態および寝かせた状態を判別して特定するとともに、傾きセンサ５３により検出された傾き値の変化状態に基づいて手持ち状態を判別して特定することによって、傾きセンサ５３により、容易に、絶対的な傾き角度に基づいて立てた状態および寝かせた状態を判別して特定することができるとともに、傾き値の変化状態に基づいて手持ち状態を判別して特定することができるので、容易に、立てた状態、寝かせた状態および手持ち状態の３つの状態を判別して特定することができる。
【００６２】
また、第１実施形態では、上記のように、傾きセンサ５３により取得されるフレーム２０の外形形状に基づく立てた状態および寝かせた状態のフレーム２０の異なる傾きに基づいて、立てた状態と寝かせた状態とを判別して特定可能に構成することによって、スタンドなどの補助具なしでフレーム２０の外形形状によりフレーム２０および液晶表示部１０を立てた立てた状態および寝かせた状態にすることができ、かつ、容易に、外形形状に基づく傾きの違いにより立てた状態と寝かせた状態とを判別して検出することができる。
【００６３】
また、第１実施形態では、上記のように、検出された使用状態に対応するアプリケーションプログラムを起動する機能（自動起動モード）を有効または無効にすることをユーザにより設定することが可能なように構成されているとともに、使用状態に対応するアプリケーションプログラムを起動する機能が有効である場合に、検出された使用状態に対応するアプリケーションプログラムを起動することによって、アプリケーションプログラムを起動する機能を有効に設定されている場合のみ、使用状態に対応してアプリケーションプログラムを起動させることができるとともに、アプリケーションプログラムを起動する機能を無効に設定されている場合には、アプリケーションプログラムは自動的には起動せずにユーザがその時の状況に応じて手動で任意のアプリケーションプログラムを選択して起動させることができる。
【００６４】
（第２実施形態）
次に、図３〜図７を参照して、本発明の第２実施形態による携帯情報表示端末について説明する。この第２実施形態では、携帯情報表示端末１の使用状態に対応して自動的に起動させるアプリケーションプログラムを設定可能な上記第１実施形態とは異なり、使用状態ごとに記憶された使用履歴に基づいて、自動的に起動させるアプリケーションプログラムを決定する例について説明する。
【００６５】
第２実施形態では、図７に示すように、制御部（ＣＰＵ）１５１は、記憶部５２に記憶された使用履歴に基づいて、使用状態に対応するアプリケーションプログラムを決定して起動させるように構成されている。たとえば、制御部１５１は、フレーム２０および液晶表示部１０を寝かせて使用する状態（寝かせた状態（図６参照））に別の使用状態から切り替えられた後、寝かせた状態で最初に一定時間以上使用されたアプリケーションプログラムを記憶部５２に記憶（学習）させるように構成されている。そして、制御部１５１は、別の使用状態から次に寝かせた状態に切り替えられた場合に、前回に最初に一定時間以上使用されたアプリケーションプログラムを起動させるように構成されている。
【００６６】
また、たとえば、制御部１５１は、フレーム２０および液晶表示部１０を立てて使用する状態（立てた状態（図５参照））に別の使用状態から切り替えられた後、立てた状態で最初に一定時間以上使用されたアプリケーションプログラムを記憶部５２に記憶（学習）させるように構成されている。そして、制御部１５１は、別の使用状態から次に立てた状態に切り替えられた場合に、前回に最初に一定時間以上使用されたアプリケーションプログラムを起動させるように構成されている。さらに、制御部１５１は、ユーザの手で把持して使用する状態（手持ち状態（図３および図４参照））に別の使用状態から切り替えられた後、手持ち状態で最初に一定時間以上使用されたアプリケーションプログラムを記憶部５２に記憶（学習）させるように構成されている。そして、制御部１５１は、別の使用状態から次に手持ち状態に切り替えられた場合に、前回に最初に一定時間以上使用されたアプリケーションプログラムを起動させるように構成されている。
【００６７】
次に、図３〜図７および図１４を参照して、第２実施形態による携帯情報表示端末の使用状態に対応するアプリケーションプログラムの起動および維持フローについて説明する。この第２実施形態のフローのうち、ステップＳ１〜ステップＳ５、ステップＳ７およびステップＳ９は、上記第１実施形態の携帯情報表示端末１の使用状態に対応するアプリケーションプログラムの起動および維持フローと同様である。以下、第１実施形態の携帯情報表示端末１の使用状態に対応するアプリケーションプログラムの起動および維持フローとは異なる処理について説明する。
【００６８】
図１４に示すように、ステップＳ３において、制御部１５１（図７参照）により、決定された状態が傾きセンサ５３により取得された傾き値が変化する前（イベント発生前）の状態から変更されたと判断された場合には、ステップＳ３６に進む。そして、ステップＳ３６において、制御部５１により、変更された状態に対応するアプリケーションプログラムが記憶（学習）されているか否かが判断される。つまり、ステップＳ３６において、後述するアプリケーションプログラムの記憶（学習）フローにおいて、立てた状態（図５参照）、寝かせた状態（図６参照）および手持ち状態（図３および図４参照）のそれぞれについて自動的に起動させるアプリケーションプログラムがユーザにより記憶（学習）されているか否かが判断される。そして、ステップＳ３６において、変更された状態に対応するアプリケーションプログラムが記憶（学習）されていないと判断された場合には、ステップＳ４およびステップＳ５に進み、アプリケーションプログラムの起動および維持フローが終了する。また、ステップＳ３６において、変更された状態に対応するアプリケーションプログラムが記憶（学習）されていると判断された場合には、ステップＳ７に進む。
【００６９】
また、ステップＳ３８において、変更された状態に対応する記憶部５２に記憶された（学習された）アプリケーションプログラムが起動される。すなわち、前回の立てた状態（図５参照）時にガジェットが最初に一定時間以上使用されたと記憶部５２に記憶されている場合には、ガジェットが起動され、前回の寝かせた状態（図６参照）時にメディアプレーヤーが最初に一定時間以上使用されたと記憶部５２に記憶されている場合には、メディアプレーヤーが起動される。また、前回の手持ち状態（図３および図４参照）時にストリーミング動画を再生可能なアプリケーションが最初に一定時間以上使用されたと記憶部５２に記憶されている場合には、ストリーミング動画を再生可能なアプリケーションが起動される。
【００７０】
次に、図３〜図７および図１５を参照して、第２実施形態による携帯情報表示端末の各使用状態（立てた状態、寝かせた状態および手持ち状態）で最初に一定時間以上使用されたアプリケーションプログラムを記憶部５２に記憶させるアプリケーションプログラムの学習フローについて説明する。
【００７１】
まず、図１５に示すように、ステップＳ４１において、制御部１５１（図７参照）により、現在使用されているアプリケーションプログラムが、使用状態が変更された後、一定時間以上使用された最初のアプリケーションプログラムであるか否かが判断される。そして、ステップＳ４１において、現在使用されているアプリケーションプログラムが、使用状態が変更された後一定時間以上使用された最初のアプリケーションプログラムではないと判断された場合には、ステップＳ４１の判断が繰り返される。また、ステップＳ４１において、現在使用されているアプリケーションプログラムが、使用状態が変更された後一定時間以上使用された最初のアプリケーションプログラムであると判断された場合には、ステップＳ４２に進む。
【００７２】
そして、ステップＳ４２において、制御部１５１により、次回、現在と同じ状態に変更された時に起動するアプリケーションプログラムとして、現在使用されているアプリケーションプログラムが記憶部５２に記憶（学習）され、携帯情報表示端末の各使用状態（立てた状態（図５参照）、寝かせた状態（図６参照）および手持ち状態（図３および図４参照））で最初に一定時間以上使用されたアプリケーションプログラムを記憶部５２に記憶させる学習フローが終了する。
【００７３】
第２実施形態では、上記のように、記憶部５２に記憶された使用履歴に基づいて、使用状態に対応するアプリケーションプログラムを決定して起動させることによって、過去にユーザが使用したアプリケーションプログラムの使用履歴に基づいて、状態が変更されてから最初に一定時間以上使用されるようなユーザの使用頻度が高いアプリケーションプログラムを学習させて起動することができるので、ユーザの利便性を向上させることができる。
【００７４】
（第３実施形態）
次に、図３〜図７を参照して、本発明の第３実施形態による携帯情報表示端末について説明する。この第３実施形態では、携帯情報表示端末の使用状態に対応してアプリケーションプログラムを自動的に起動させる上記第１および第２実施形態とは異なり、携帯情報表示端末の使用状態変更の遷移に対応してアプリケーションプログラムを自動的に起動させる例について説明する。
【００７５】
第３実施形態では、制御部２５１（図７参照）は、傾きセンサ５３による検出結果に基づいてフレーム２０および液晶表示部１０の使用状態（図３〜図６参照）を判別して特定するように構成されている。さらに、制御部２５１は、前に特定した使用状態から今回特定した使用状態への状態変更の遷移態様を認識して決定する機能を有する。そして、制御部２５１は、検出された使用状態の遷移態様に対応するアプリケーションプログラムを自動的に起動することが可能なように構成されている。たとえば、制御部２５１は、立てた状態（図５参照）から寝かせた状態（図６参照）に使用状態が変更されたという遷移態様を認識して決定した場合には、所定のアプリケーションプログラムを起動するように構成されている。また、たとえば、制御部２５１は、手持ち状態（図３および図４参照）から寝かせた状態（図６参照）に使用状態が変更されたという遷移態様を認識して決定した場合には、所定のアプリケーションプログラムとは異なるアプリケーションプログラムを起動することが可能なように構成されている。つまり、制御部２５１は、変更された後の状態が同じ状態であっても、変更される前の状態が異なる場合には、状態の遷移態様が異なるため、異なるアプリケーションプログラムを起動することが可能なように構成されている。なお、制御部２５１は、立てた状態、寝かせた状態および手持ち状態間の６通りの遷移態様から１つの遷移態様を決定することが可能である。
【００７６】
次に、図３〜図７および図１６を参照して、第３実施形態による携帯情報表示端末の使用状態に対応するアプリケーションプログラムの起動および維持フローについて説明する。この第３実施形態のフローのうち、ステップＳ１〜ステップＳ５は、上記第１および第２実施形態の携帯情報表示端末の使用状態に対応するアプリケーションプログラムの起動および維持フローと同様である。以下、第１および第２実施形態の携帯情報表示端末の使用状態に対応するアプリケーションプログラムの起動および維持フローとは異なる処理について説明する。
【００７７】
図１６に示すように、ステップＳ３において、制御部２５１（図７参照）により、決定された状態が傾きセンサ５３により検出された傾き値が変化する前（イベント発生前）の状態から変更されたと判断された場合には、ステップＳ４１に進む。そして、ステップＳ４１において、使用状態が変更される前の使用状態と、使用状態が変更された使用状態とに基づいて、状態変更の遷移態様が決定され、ステップＳ４６に進む。そして、ステップＳ４６において、制御部５１により、遷移態様に対応するアプリケーションプログラムが設定されているか否かが判断される。つまり、ステップＳ４６において、立てた状態（図５参照）、寝かせた状態（図６参照）および手持ち状態（図３および図４参照）間の６通りの遷移態様について自動的に起動させるアプリケーションプログラムがユーザにより設定されているか否かが判断される。そして、ステップＳ４６において、遷移態様に対応するアプリケーションプログラムが設定されていないと判断された場合には、ステップＳ４およびステップＳ５に進み、アプリケーションプログラムの起動および維持フローが終了する。また、ステップＳ４６において、遷移に対応するアプリケーションプログラムが設定されていると判断された場合には、ステップＳ４７に進む。
【００７８】
そして、ステップＳ４７において、制御部２５１により、設定されていたアプリケーションプログラムが現在使用中のアプリケーションプログラムと同じアプリケーションプログラムであるか否かが判断される。そして、ステップＳ４７において、設定されていたアプリケーションプログラムが現在使用中のアプリケーションプログラムと同じアプリケーションプログラムであると判断された場合には、アプリケーションプログラムを変更する必要がないので、ステップＳ４およびステップＳ５に進み、アプリケーションプログラムの起動および維持フローが終了する。また、ステップＳ４７において、設定されていたアプリケーションプログラムが現在使用中のアプリケーションプログラムと同じアプリケーションプログラムではないと判断された場合には、ステップＳ４８に進む。
【００７９】
その後、ステップＳ４８において、遷移態様に対応するユーザにより設定されたアプリケーションプログラムが起動され、ステップＳ４９に進む。そして、ステップＳ４９において、現在の状態に対応する表示向きに表示方向が変更または表示向きが維持され、アプリケーションプログラムの起動および維持フローが終了する。
【００８０】
第３実施形態では、上記のように、傾きセンサ５３による検出結果に基づいて特定された使用状態に対応し、かつ、特定された使用状態の前の使用状態から特定された使用状態に遷移する際の遷移態様にも対応したアプリケーションプログラムを起動することによって、現在の使用状態のみならず１つ前の使用状態から現在の使用状態への遷移態様も考慮してアプリケーションプログラムを起動させることができるので、遷移態様の違いに起因するユーザの使用状況の違いも考慮して、より使用状況に適したアプリケーションプログラムを起動させることができる。
【００８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
たとえば、上記第１〜第３実施形態では、本発明の携帯情報表示端末の使用状態検出手段の一例として傾きセンサを用いた例について示したが、本発明はこれに限られない。載置面に載置されている２つの使用状態（立てた状態および寝かせた状態）と手で把持する使用状態との３つの使用状態を検出可能な検出手段であれば、傾きセンサ以外の検出手段を用いてもよい。
【００８３】
また、上記第１〜第３実施形態では、傾きセンサがフレームおよび液晶表示部を載置面に立てて使用する立てた状態、フレームおよび液晶表示部を載置面に寝かせて使用する寝かせた状態、および、フレームを手で把持して使用する手持ち状態のいずれかのみを検出する例について示したが、本発明はこれに限られない。たとえば、立てた状態、寝かせた状態および手持ち状態に加えて、携帯情報表示端末を壁面に引っ掛けて保持するなど、立てた状態、寝かせた状態および手持ち状態以外の使用状態を検出するようにしてもよい。
【００８４】
また、上記第１〜第３実施形態では、傾きセンサがフレームおよび液晶表示部を載置面に立てて使用する立てた状態、および、フレームおよび液晶表示部を載置面に寝かせて使用する寝かせた状態に載置可能な外形形状にフレームを構成した例について示したが、本発明はこれに限られない。別部材のスタンドなどをフレーム（筐体）に取り付けることにより、傾きセンサがフレームおよび液晶表示部を載置面に立てて使用する立てた状態、および、フレームおよび液晶表示部を載置面に寝かせて使用する寝かせた状態に載置するようにしてもよい。
【００８５】
また、上記第１〜第３実施形態では、リモコンモード時に、制御対象機器に対してリモコン信号を含む赤外線を出射することにより、制御対象機器のリモコン制御を行う例について示したが、本発明はこれに限られない。たとえば、Ｂｌｕｅｔｏｏｔｈ（登録商標）およびＺｉｇｂｅｅ（登録商標）などの無線通信規格を用いることにより制御対象機器のリモコン制御を行うようにしてもよい。
【００８６】
また、上記第１〜第３実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【００８７】
また、上記第１および第３実施形態では、設定されたアプリケーションプログラムがない場合には、現在のアプリケーションプログラムをそのまま維持するように構成するとともに、第２実施形態では、学習されたアプリケーションプログラムがない場合には、現在のアプリケーションプログラムをそのまま維持するようにしたが、本発明はこれに限られない。起動するアプリケーションプログラムの設定や学習が行われていない場合には、使用状態に対応するデフォルトのアプリケーションプログラムが起動されるようにしてもよい。
【００８８】
また、上記第２実施形態では、ある使用状態で最初に一定時間以上使用されたアプリケーションプログラムを記憶部に記憶（学習）させるとともに、次に別の使用状態からその使用状態に切り替えられた場合に、前回に記憶部に記憶されたアプリケーションプログラムを起動させる例について示したが、本発明はこれに限られない。たとえば、ある使用状態で最後に使用されたアプリケーションプログラムを記憶部に記憶（学習）させるとともに、次に別の使用状態からその使用状態に切り替えられた場合に、前回に記憶部に記憶されたアプリケーションプログラムを起動させてもよい。また、ある使用状態において使用されたアプリケーションプログラムの回数のうち最も多いアプリケーションプログラムを記憶部に記憶（学習）させるとともに、次に別の使用状態からその使用状態に切り替えられた場合に、記憶部に記憶されたアプリケーションプログラムを起動させるようにしてもよい。
【符号の説明】
【００８９】
１  携帯情報表示端末
１０  液晶表示部（表示部）
２０  フレーム（筐体）
３１、３２  赤外線通信部（通信部）
５１、１５１、２５１  制御部
５２  記憶部
５３  傾きセンサ（使用状態検出手段）
１００  載置面
【図１】
0005445285.tif 000002
【図２】
0005445285.tif 000003
【図３】
0005445285.tif 000004
【図４】
0005445285.tif 000005
【図５】
0005445285.tif 000006
【図６】
0005445285.tif 000007
【図７】
0005445285.tif 000008
【図８】
0005445285.tif 000009
【図９】
0005445285.tif 000010
【図１０】
0005445285.tif 000011
【図１１】
0005445285.tif 000012
【図１２】
0005445285.tif 000013
【図１３】
0005445285.tif 000014
【図１４】
0005445285.tif 000015
【図１５】
0005445285.tif 000016
【図１６】
0005445285.tif 000017